(57)【要約】【課題】遮光効果を適度に保ちつつ、携行性に優れたレンズ用フードを提供する。【解決手段】本発明によるレンズ用フードは、撮影レンズに装着される略円筒状のレンズ用フードにおいて、被写体側に形成された円板部と、円板部に形成され、撮影レンズの画角形状に合わせた略四角形の開口部と、レンズ用フードを装着可能なカメラに、レンズ用フードを装着すると共に、レンズ用フードの撮影レンズの光軸回りの位置を開口部と撮影レンズの画角形状とが合った位置に導く装着部とを具備することを特徴とする。【選択図】      図１
2004184459.tif 000002
【特許請求の範囲】
【請求項１】
撮影レンズに装着される略円筒状のレンズ用フードにおいて、
被写体側に形成された円板部と、
該円板部に形成され、前記撮影レンズの画角形状に合わせた略四角形の開口部と、
前記レンズ用フードを装着可能なカメラに、前記レンズ用フードを装着すると共に、前記レンズ用フードの前記撮影レンズの光軸回りの位置を前記開口部と前記撮影レンズの画角形状とが合った位置に導く装着部とを具備するレンズ用フード。
【請求項２】
前記装着部付近の一部に切り欠き部を更に具備し、
該切り欠き部を介してレンズ用フード内の部材を操作可能としたことを特徴とする請求項１に記載のレンズ用フード。
【請求項３】
前記装着部付近の一部に切り欠き部を更に具備し、
前記装着部に装着される部材が、前記切り欠き部を介してレンズ用フードから外部に突出可能としたことを特徴とする請求項１に記載のレンズ用フード。
【請求項４】
前記開口部に着脱可能なキャップを更に具備することを特徴とする請求項１乃至請求項３に記載のレンズ用フード。
【発明の詳細な説明】
【０００１】
【発明の属する技術分野】
本発明は、撮影レンズに装着されるレンズ用フードに関するものである。
【０００２】
【従来の技術】
図９および図１０に示すように、カメラ用レンズに有害光が入射するのを防ぐため、レンズ鏡筒２の先端にレンズフード１０〜１１を装着可能にしていることが一般的である。フードには、図９に示すような円形状レンズフード１０と、装着されるレンズの画角形状にあわせた、花形などと一般に言われるレンズフード１１（図１０）とがある。
［特許文献１］特開平１１−２９５７８０
【０００３】
【発明が解決しようとする課題】
円形状レンズフード１０は、遮光効果を高めるために大型化して、携行に不便になる傾向にある。また、花形レンズフード１１は先端部に凹凸１１ａがあるため、凹凸１１ａに指や衣服が引っ掛かって、花形レンズフード１１がレンズ鏡筒２から外れたりする欠点があった。
【０００４】
本発明は、上記の問題点に鑑みてなされたもので、遮光効果を適度に保ちつつ、携行性に優れたレンズ用フードを提供することを目的とする。
【０００５】
【課題を解決するための手段】
この目的を達成するために、請求項１の発明によるレンズ用フードは、撮影レンズに装着される略円筒状のレンズ用フードにおいて、被写体側に形成された円板部と、円板部に形成され、撮影レンズの画角形状に合わせた略四角形の開口部と、レンズ用フードを装着可能なカメラに、レンズ用フードを装着すると共に、レンズ用フードの撮影レンズの光軸回りの位置を開口部と撮影レンズの画角形状とが合った位置に導く装着部とを具備することを特徴とする。
【０００６】
請求項２の発明によるレンズ用フードは、請求項１において、装着部付近の一部に切り欠き部を更に具備し、切り欠き部を介してレンズ用フード内の部材を操作可能としたことを特徴とする。
【０００７】
請求項３の発明によるレンズ用フードは、請求項１において、装着部付近の一部に切り欠き部を更に具備し、装着部に装着される部材が、切り欠き部を介してレンズ用フードから外部に突出可能としたことを特徴とする。
【０００８】
請求項４の発明によるレンズ用フードは、請求項１乃至請求項３において、開口部に着脱可能なキャップを更に具備することを特徴とする。
【０００９】
【発明の実施の形態】
以下、本発明の実施の形態を図面に基づいて説明する。
【００１０】
図１は、本発明によるレンズ用フードの第１実施形態を示し、レンズフード１の正面図および背面図である。図１（ａ）は、レンズフード１を被写体側から見た正面図であり、図１（ｂ）はレンズフード１の内部を示す背面図である。レンズフード１は開口部１ａを有し、この開口部１ａは装着される撮影レンズ２の画角に合わせた形状になっている。
【００１１】
レンズフード１は、図２に示すように、撮影レンズ２の前面に装着される。装着は、撮影レンズ２のバヨネット部２ａ（図２）と、レンズフード１の雌側バヨネット部３（図１）とを噛み合わせることによって行われる。図１では、装着時の角度が決め易いように、２本の爪があるバヨネットを採用しているが、装着時の角度を決めることが出来れば、他の装着構造を採用しても良い。例えば、ネジ式などであっても角度が正しく導ければ採用できる。
【００１２】
図３に、本発明によるレンズフード１と従来の花形レンズフード１１とを対比させて示す。下半分が本発明によるレンズフード１であり、上半分が従来の花形レンズフード１１を示している。この図３からも明らかなように、本発明によるレンズフード１はコンパクトにできるため、携帯性に優れている。
【００１３】
図４〜図５は、本発明によるレンズ用フードの第２実施形態を示し、レンズフード１の正面図および背面図である。図４（ａ）は、レンズフード１を被写体側から見た正面図であり、図４（ｂ）はレンズフード１の内部を示す背面図である。図中、図１〜図３と同じ構成部分には同じ参照番号を付して重複した説明を省略する。
【００１４】
第２実施形態のレンズフード１は、レンズフード１の下側（図４（ａ））に切り欠き３１が形成されている。切り欠き３１からは、図５に示すように、偏光フィルターと呼ばれるフィルター３２を、次に説明するようにして操作できる。即ち、偏光フィルター３２は前後の二重枠から構成され、所望の偏光効果を得るためには、前側枠を回転操作する必要がある。この回転操作を切り欠き３１から行うことで、フード１を使用しつつも、偏光フィルター３２の操作が可能となり、利便性が向上する。
【００１５】
図６〜図８は、本発明によるレンズ用フードの第３実施形態を示している。図中、図１〜図３と同じ構成部分には同じ参照番号を付して重複した説明を省略する。
【００１６】
第３実施形態のレンズフード１には、図６に示すように、キャップ８２が取り付けられている。キャップ８２は、図７および図８に示すように、係合部８２ａと摘み８３を有する。係合部８２ａはレンズフード１の開口部１ａに合せて角柱状に形成され、係合部８２ａを開口部１ａに挿入することでレンズフード１にキャップ８２が取り付けられる。逆に、レンズフード１からキャップ８２を外すときには、摘み８３を指で摘んでレンズフード１から抜き出すことで取り外しが可能となる。これにより、不使用時にはレンズフード１をレンズキャップと兼用できるようになる。
【００１７】
なお、上述した実施形態では、キャップ８２を単純な差込式としたが、例えば、バネ等を利用してレンズフード１に噛み合う形状にするなどの変形も考えられる。
【００１８】
【発明の効果】
以上のように、本発明のレンズ用フードによれば、遮光効果を適度に保ちつつ、携行性に優れたレンズ用フードを提供することが可能となる。
【図面の簡単な説明】
【図１】本発明によるレンズ用フードの第１実施形態を示す正面図および背面図である。
【図２】本発明によるレンズ用フードの第１実施形態を示す断面図である。
【図３】本発明によるレンズ用フードの第１実施形態を示す断面図である。
【図４】本発明によるレンズ用フードの第１実施形態を示す正面図および背面図である。
【図５】本発明によるレンズ用フードの第１実施形態を示す断面図である。
【図６】本発明によるレンズ用フードの第１実施形態を示す正面図および断面図である。
【図７】本発明によるレンズ用フードの第１実施形態を示す正面図および断面図である。
【図８】本発明によるレンズ用フードの第１実施形態を示す正面図および断面図である。
【図９】従来のレンズ用フードの一例を示す断面図である。
【図１０】従来のレンズ用フードの一例を示す断面図である。
【符号の説明】
１    レンズフード
１ａ  開口部
２    レンズ鏡筒（撮影レンズ）
２ａ  バヨネット部
３    雌側バヨネット部
１１ａ  凹凸
３１    切り欠き
３２    偏光フィルター
８２    キャップ
８２ａ  係合部
８３    摘み
【図１】
2004184459.tif 000003
【図２】
2004184459.tif 000004
【図３】
2004184459.tif 000005
【図４】
2004184459.tif 000006
【図５】
2004184459.tif 000007
【図６】
2004184459.tif 000008
【図７】
2004184459.tif 000009
【図８】
2004184459.tif 000010
【図９】
2004184459.tif 000011
【図１０】
2004184459.tif 000012